(57)【要約】      （修正有）【課題】展示会の度に作者は必ず多種多様な額縁を準備し、作品のイメージと号数・サイズに合った、額合わせ作業を行う。展示会後、必ず運搬及び、保管場所が必要になる。従って、額合わせのスピード化、運搬性、経済性、少ない保管場所の確保等の問題を解決する。【解決手段】額縁を固定し作品を脱着する思想から作品を固定し額縁装飾部を脱着する思想に変革する。その手段として額縁の構造を架台部と装飾部に分離する。また、運搬費と保管場所を少なくするため額縁の構造を複数の枠片にする。架台部の組立と構造的に必要な力棒、ベルト通し穴及び、ベルト通し角溝を設け、荷締めベルト等の締付部材を用い組立てる。架台部と装飾部の固定は強力磁石を用い固定する。作品の固定はベルトをベルト通し穴・ベルト通し角溝に通し、力棒に半巻きし、作品を額縁架台に固定、一体化する。これ等の技術を組合せた組立式額縁を提供する。【選択図】図３
2016154645.tif 000002
【特許請求の範囲】
【請求項１】
複数に分割可能な組立式額縁であって、 分割後の組立式額縁の枠片のそれぞれに  
コーナリブ、中間リブ及び、力棒を枠片の機能に必要な数量分設け、そのコーナ
リブと中間リブには締付部材を挿通可能な溝及び、締付部材の貫通孔を少なくと
も一つ備え、円形、及び、多角形の枠状に組み立てることが可能な組立式額縁。
【請求項２】
請求項1にかかる組立式額縁に作品を固定する場合は、締付部材を用い、複
数の枠片で構成した額縁の内、力棒の付いていない枠片の中間リブの締付部
材通し穴には締付部材を通し、力棒付きパネルの力棒には締付部材を半巻し、
締付部材を締め、作品の隅を平面上部から締め付け、作品と額縁枠片を固定
・一体化することを特徴とした組立式額縁。
【請求項３】
請求項1にかかる組立式額縁であって、装飾片を別途製作し、多角形に組み
立てた枠片に強力磁石を取り付け、円形及び、多角形に組み立てた枠片に装
飾片を装備することが可能な組立式額縁。
【請求項４】
請求項1にかかる組立式額縁であって、額縁の作品固定は締付部材及び、弾
性体を枠片に引っ掛けて、作品を枠片と固定一体化させることが可能な組立
式額縁。
【請求項５】
1）額縁を架台枠片と装飾枠片に分離・脱着できるものとし
2)更に架台枠片を構造的にコーナリブ付き枠片と力棒付き枠片に分け、
3)これらを組み立てる手段として締付部材を用い
4)装飾部の脱着に強力磁石を使用し、
5)作品を固定する手段として締付部材を用い、枠片に締め付けて固定一体化
し、結果的に枠片組立用締付部材と作品固定用締付部材の使用によって、
二重に安全対策を施したこととなり、分解や破壊に対する安全性を向上せ
しめる。
以上の重要技術５項目を組み合わせて用いていることを特徴とする組立式
額縁。
【発明の詳細な説明】
【技術分野】
【０００１】
本発明は書画等の作品展示に必要な組立式額縁に関するものであって、
額縁を複数の枠片にし、円形及び、多角形に組立てて、そのまま使用する、
あるいは、額縁を架台枠片と装飾枠片に分け、ベルトクランプ、荷締めベ
ルト、ロープクランプ等の締付部材で締め付け組立て、また、額縁の装飾
枠片は、強力磁石を使用し、架台枠片から脱着可能な方式とし、作品も同
様にベルトクランプ、荷締めベルト、ロープクランプ、網状ゴムバンド、
ゴムベルト等の締付部材で締め付け、組み立て一体化する方法の組立式額
縁に関するものである。
【背景技術】
【０００２】
従来の組立式額縁(例えば特許文献1〜４参照)は精度のよい直角額縁と
強度を確保するため四隅に接続金具を用い、額縁のコーナに金具等を用
いてボルトナット、ビス、等で固定する。もしくは差し込み等の方法で、
恒久的な枠状にしている。
【０００３】
一方、木ねじ、ボルトナット、ビス等を使用しない組立式額縁(例えば特
許文献５〜７参照)では板バネ、ダボ、ツメ等の技術を用いている。
【先行技術文献】
【特許文献】
【０００４】
【特許文献１】特開平8-24099号
【特許文献２】登録実用新案第3036401号
【特許文献３】登録実用新案第3012855号
【特許文献４】特開平7-155244号
【特許文献５】特開平11-32882号
【特許文献６】特開平8-299132号
【特許文献７】実用新案公開平6-45563号
【０００５】
ところが上記文献のいずれの方法も作品との額合わせ作業では額縁を固
定し、作品を脱着する思想のため、多くの額縁を用意する必要がある。
また、作品を額縁から脱着する場合、表面、裏面方向からの作業には関
係なく、作品を額縁から何度も出し入れする方法である。これでは大切
な作品が傷つきやすく、作品の脱着にも手がかかり面倒である。一方、
これらの方法の内、組立にドライバーなどの道具を使うタイプでは道具
の管理、及び、組立作業が面倒であり、道具を使わない方法のバネ、ダボ、
ツメのタイプは大型額に応用する場合、強度及び、安全性に制約があり
小型、軽量の額縁に限定される。
【発明の概要】
【発明が解決しようとする課題】
【０００６】
現状の作品等の展示会の額装は仮額と呼ばれる額装が多く、展示会主催者
側から額縁寸法幅に制約をつけられるケースが多くあり、主催者側から提
示された制約の範囲内で作品イメージに合わせた額装をする必要がある。
【０００７】
額合わせでは、多くの額を用意し、作品を額に出し入れする作業が付きも
のであり、大切な作品にうっかり傷を着けたり、汚したり、破損したりす
る可能性が高くなる。
また、個展等では大量の作品の額合わせをする必要性があり、額から作品
を出し入れする作業は長時間作業でたいへん大きな労力である。
【０００８】
一方、大型の作品を運搬する場合、現状では作品に額装をして傷付かない
よう梱包し、普通車やトラック等で運搬している。これはコスト上及び、
運搬の安全上に課題が残る。
【０００９】
また、展示会後の額縁は個人、額縁製造企業、リース企業を問わず、保管
が必ず必要となる。従って、保管場所をできるだけ小さくする必要がある。
【００１０】
組立式額縁はこれ等の問題点を考慮に入れて設計製作するが展示中、組立
中、運搬中のいずれの場合も落下、破壊、傷損等々があってはならない。
特に展示中の観賞者に対する安全には特段の配慮が必要である。
【００１１】
本発明はこれらの問題点、課題である1．主催者側からの制約事項である
額縁の寸法を満足し作品のイメージに合った額装ができ、２．額装の労力
を大幅に減じ、３．作品に掛かる傷損リスクを減じ、４．運搬性を格段に
向上させ、５．使用後分解し、少ないスペースで保管でき、６．組立中、
運搬中、展示中の安全性が格段に向上し、７．短時間で組み立てることが
でき、８．組立道具が不要等々多くの懸案を一気に解決した額縁を世に提
供する。
【課題を解決するための手段】
【００１２】
上記の課題を解決する手段として、展示会主催者側から提示される額縁の
寸法規制以外の要目であるデザイン、形状、色彩、構造、質量等は原則と
して自由である場合が多く、許されている要目のすべてを考慮に入れ、更
に組立式額縁では額縁架台枠片と額縁装飾枠片を複数に分離・脱着できる
構造とするため組立性、安全性等に配慮した構造が最も重要となる。
【００１３】
例えば四角形の組立式額縁の場合では全体を額縁架台枠片４パーツと額縁
装飾枠片４パーツ以上に分離・脱着できる構造に、枠片化する。その二つ
の架台枠片両端に弧状のコーナリブを設け、ベルトクランプ又は荷締めベ
ルト、ロープクランプ等を用い、四隅を同時、同方向、同じ大きさの力で
締め付け、架台枠片を組み立てる場合は、ベルトを締め付けスライドさせ
るためにスライド溝を設ける。また、二つの力棒付架台枠片に付けている
力棒の先端を力棒挿入穴にはめ込み、四辺で構成している架台枠片のベル
ト穴とバックルにベルトを通し、ベルトを締めて四角形の額縁に組み立て
る。なお、本発明の組立式額縁は装飾枠片を使用せず架台枠片を円形、多
角形又は、四角形に組立ててそのまま額縁として使用することもできる。
装飾をする場合は装飾片を別途製作し、円形、多角形に組み立てた架台枠
片に強力磁石を取り付け、円形及び、多角形に組み立てた架台枠片に装飾
片を装備することが可能である。
【００１４】
また、架台枠片と装飾枠片を脱着する場合は脱着媒介にネオジム磁石等の
強力磁石を用い、磁石は丸型円筒状のものとし、ＮＳ極の方向性が定まっ
たものを使用し、同極の相互反発性を利用することで保管中にそれぞれの
枠片間で相互吸着が発生しないよう考慮した構造とする。
【００１５】
なお、本説明では架台枠片組立締付ベルトを架台枠片の内側、即ち、額縁
表面から見えない額縁裏側面に取り付けた場合の説明であり、架台枠片の
外側、即ち、額縁架台の表側面に取り付けることも可能で、裏側面に取り
付ける方法に比べて額縁架台の組立速度は速くなる等の効果があるが、バ
ックルが装飾枠片と干渉し、美観を損ねる等のデメリットもあり、用途に
適合させて、バックルが装飾枠片に干渉する対策を施し、ベルトの取り付
け位置を表裏どちらにするか選択することによって、適正な使い分けがで
きる特徴を得ることができる。
【００１６】
また、額縁装飾部は枠片化したものにデザイン、形状、色彩、質量のそれ
ぞれにバラエティを持たせ、額合わせ作業が速くできるようにし、更に保
管スペース、保管コスト、を小さくすることができる。
【００１７】
一方、額縁の重要機能である落下防止、破損防止、傷損防止の安全対策の
手段として、額縁架台枠片に作品をベルトクランプ又は荷締めベルト、ロ
ープクランプ等の締付部材で締め付け固定・一体化する。比較的大型の額
の場合はベルトクランプ、又は荷締めベルト、ロープクランプ等の締付部
材を使用、比較的小型額には網状ゴムバンド又はゴムベルト等の弾性体を
用いて架台枠片と一体化する。四角形の額縁の場合では四つの架台枠片の
内、二つのコーナリブ付架台枠片のベルト通し穴にベルトを通し、力棒付
架台枠片の力棒に荷締めベルトのベルトを半巻し、荷締めベルトのベルト
をバックルに通し、ベルトを締め、作品の四隅の上から力を加えて締め付
け、四つの架台枠片に固定し、額縁と作品を一体化することができる。
【００１８】
また、額縁の架台枠片を組み立てるためのベルト及び、作品を固定するた
めに同じベルトを使うことにより、１本のベルトが外れた場合でも、もう
一本のベルトが健在であれば落下、分解等が発生しないため結果的に２重
の安全対策となり、組立式額縁全体の強度と安全性が保持できる。
【００１９】
なお、ゴムバンド、ゴムベルト等の弾性体を使用して作品と架台枠片を一
体化させる比較的小型の額縁では、ベルト通し穴、力棒の代わりにフック
等を使用し、フックにゴムを引っかけて作品を押え固定することも可能で
ある。
【発明の効果】
【００２０】
本発明は組立式額縁を額縁架台枠片と額縁装飾枠片に分け、組立にベルト
クランプ、ロープクランプ又は、荷締めベルト等を使用し、架台枠片の構
造材の一部として力棒を取り付ける。これらの技術を用いて、力棒付枠片
とコーナリブ付枠片を組み立て、ベルトを締めることによって、同時、同
方向、同じ大きさの力で道具を使用せず短時間で強固に、組み立てること
ができる。この構造にすることにより、１．主催者側からの制約事項であ
る額縁の寸法を満足し作品のイメージに合った額装が速くでき、２．額装
の労力を大幅に減じ、３．作品に掛かる傷損リスクを減じ、４．分解して
運搬できるため移動しやすく低コストで、５．使用後分解し、少ないスペ
ースで保管でき、６．組立中、運搬中、展示中の安全性が格段に向上し、
７．短時間で組み立てることができ、８．組立道具が不要で、９．適正な
強度が確保でき、１０．円形、多角形に合った適正な角度が確保できる等々
多くの懸案を一気に解決し、大きな効果をあげることができる。
【００２１】
本発明は組立式額縁であり、作品の展示は作品のイメージを引き立てる額
縁を選定することが最も大切である。従って、作品の展示には作品に最も
適した造形・色彩・サイズ等に配慮し、額合わせ作業を行う必要があるが、
現状、額縁の選定には取り付ける、取り外す、の繰り返し作業が不可欠の
ため選定労力は少なく、速く、容易に行えることが必要である。
その対策として本発明では作品を組み立てた架台枠片に作品固定締付ベル
トを力棒に半巻掛けし、作品固定ベルト穴にベルトを通して作品を固定し、
強力磁石を用いた装飾枠片だけを取り換えることで最適な装飾枠片の選定
を短時間で容易に行うことができる。
【００２２】
作品を架台枠片に固定する手段として、比較的大型の額はベルトクランプ、
又は荷締めベルト、ロープクランプ等を使用、比較的小型の額は網状ゴム
バンド、ゴムベルト等の弾性体の締付部材を用い、ベルトを使用する場合
はベルト穴にベルトを通し、力棒にベルトを巻き、バックルに通し、ベル
トの端を締めることによって作品の上から同時均等、同方向に締め付け、
額縁架台枠片に短時間で固定一体化できる。網状ゴムバンド、ゴムベルト
等を使用する場合は４ッつの架台枠片にフック等を取り付け、ゴムベルトを引っ掛けて作品を架台枠片と固定一体化できる。
【図面の簡単な説明】
【００２３】
【図１】作品を入れた組立後の組立式額縁表面全体図
【図２】作品を入れた組立後の組立式額縁裏面全体図
【図３】作品を外した組立後の組立式額縁裏面全体図
【図４】図-３内のA-A断面図
【図５】図-３内のB-B断面図
【図６】力棒付架台枠片図
【図７】コーナリブ付架台枠片図
【図８】図-７内のE 部拡大図
【図９】強力磁石取付図
【図１０】額縁装飾枠片図
【図１１】額縁装飾枠片鉄片取付拡大図
【図１２】コーナリブ付架台枠片のコーナ部拡大図
【図１３】外ベルト方式のコーナ部組立裏面図
【発明を実施するための形態】
【００２４】
本実施例の組立式額縁は、図１作品を入れた組立後の組立式額縁表面全体図
によると、コーナリブ付架台枠片２、力棒付架台枠片４、コーナリブ付架台
枠片６、力棒付架台枠片８、装飾枠片１、装飾枠片３、装飾枠片５、装飾枠
片７を確認でき、組立式額縁の四辺枠を構成している。
【００２５】
また、図２の作品を入れた組立後の組立式額縁裏面全体図及び、図３の作品
を外した組立後の組立式額縁裏面全体図によると、コーナリブ付架台枠片
２、力棒付架台枠片４、コーナリブ付架台枠片６、力棒付架台枠片８、の４
つの枠片と、架台枠片組立締付ベルト９及び、架台枠片組立締付ベルトバッ
クル１０が確認できる。組立はコーナリブ付架台枠片２、力棒付架台枠片４、
コーナリブ付架台枠片６、力棒付架台枠片８、の４つの架台枠片を四角に仮
置きし、先に枠片組立締付ベルト９を図７のコーナリブ付架台枠片図D-D断
面図２iへ、図８のE 部拡大図２aコーナベルト通し角溝に通し、その後、
２つの力棒付架台枠片それぞれに付けている図６の力棒付架台枠片図4b力
棒の先端四か所を、２つのコーナリブ付架台枠片のコーナリブが有するそれ
ぞれの図7のコーナリブ付架台枠片図符号２d力棒挿入穴に挿入し、架台枠
片組立締付ベルト９を架台枠片組立締付ベルトバックル１０に通し、締める
ことにより行われ、各々の四つの枠片は強固に組み立てられ一体化される。
【００２６】
これらの組立完了後の、額縁のコーナ部分は図１２のコーナリブ付架台枠片
のコーナ部拡大図に示されている。本図において架台枠片組立締付ベルト９
が各々の枠片の内側であることがわかる。また、図１３は外ベルト方式のコ
ーナ部組立裏面図であり、架台枠片組立締付ベルト９が各々の枠片の外側の
場合であり、内側方式と基本的な考え方は同じであるがコーナリブとＬ型枠
片を接合する際の接合方法が本説明の方法ではコーナリブの側面に直接当
てて接合するが、図１３の外ベルト方式のコーナ部組立裏面図ではコーナリ
ブと符号２コーナリブ付架台枠片が接着剤とビス等で固定一体化され、リブ
の隅に符号８力棒付架台枠片がはめ込まれ組み立てられる方法である。
【００２７】
また、3Ｄプリンター等を使用した一括製作による方法では枠片とリブの接
合にビス、接着剤等々を使用する必要性が無く、容易に製作できる。
【００２８】
一方、同図面２によると作品１３を架台枠片に固定一体化するために作品固
定締付ベルト１１及び、作品固定締付ベルトバックル１２を使用するがベル
トをセッティングする前に、枠状に組み立てられた架台枠片の裏面から先に
作品１３をはめ込み、作品固定締付ベルト１１のベルト先端を図６力棒付架
台枠片図符号４b力棒の下へくぐらせ力棒の上に出し、図５B-Bの断面図力
棒付枠片中間リブ符号４cの上部から更に力棒の下をくぐらせ、図７作品固
定ベルト通し穴D-D断面図符号２eに通し、更に作品固定締付ベルト１１の
ベルト先端を図６力棒付架台枠片図符号４b力棒の下へくぐらせ次に同力
棒の上に出し、図５B-Bの断面図力棒付枠片中間リブ符号４cの上部から同
力棒下をくぐらせ、図７のコーナリブ付架台枠片図D-D断面図符号２e作品
固定ベルト通し穴に通し、作品固定締付ベルトバックル１２に通し、ベルト
を締め付けることにより作品を固定し、架台枠片とも一体化する。
【００２９】
尚、本実施例の説明では作品を枠片に固定する場合ベルトクランプ、荷締め
ベルト、ロープクランプ等々を使用することとしているが、これは大型の額
縁を対象としており、比較的小型の額縁に作品を取り付ける場合、締付部材
以外では網状ゴムバンド、ゴムベルト、等々の弾性体を枠片の裏に取り付け
たフック等に引っかけて、作品を押さえつけて使用することもできる。
【００３０】
次に個々の枠片の説明であるが図６の力棒付架台枠片図によると、枠片本体
の断面はＬ字型をしており、力棒４ｂと力棒付枠片中間リブ４cが２か所及
び、強力磁石４ｄが２か所で構成されている。この構造は組立完了後、裏側
に取り付けられた同図4ｂ力棒、各々のリブ類、及び作品、ベルト等々が表
面から見えない構造としており、また、ベルトで締め付けた場合、発生する
反力に対し、断面係数を大きくし強度を高めるため形状をＬ型としている。
一方、長手方向の形状は正面は角型、上下平面は台形型としており、４５度
に角度の付いた先端は組立時、図８のE 部拡大図２ｂコーナリブの上部に
乗り、４ｂ力棒の先端を組立時の位置決めに際し、図８のE部拡大図力棒挿
入穴２ｄに同時にはめ込むため、全体に材料の厚みも含めて４５度の角度に
している。
【００３１】
また、力棒付枠片中間リブ４cの取り付け位置は、作品を展示する際に必要
な釣り紐を取り付ける位置であって縦展示、横展示、共にそれぞれの長辺、
短辺の約１/３の位置であり、これに合わせた位置に各枠片のそれぞれに２
か所以上取り付けて枠片の補強と兼用する。
【００３２】
なお、本枠片全体の材料は木材、高分子材、金属、石材、紙材等々が考えら
れ、これらの材料と製作方法、及び用途を合わせて適正に使い分ける。とり
わけ力棒は軽量で必要な強度を確保できるアルミニウムパイプ、高分子材
等々が良い。
【００３３】
また、一方、強力磁石４ｄの取り付け数は図６によると１枠片あたり２か所
であるが額縁のサイズによっては２か所以上必要になる。図９の強力磁石取
付図によれば、Ｌ型母材の装飾枠片取付面の適正な取付位置に、強力磁石が
枠片面から２ｍｍ程度出張る程度の深さで、磁石の外径より少し大きい凹丸
穴を座繰りする。そして磁石の反発性を利用するため磁石の吸着面極性を同
方向に揃え、木ねじ２ｈ等を用い、座繰り穴に磁石を入れ取付母材にねじ込
んで固定する。また、必要に応じて、母材面と磁石下面に二液混合式の強力
接着剤等を塗布・併用し取付の強度を確保する。
【００３４】
なお、１個当たりの強力磁石の必要吸着力は取付方法、磁石吸着面と鉄片の
吸着面面積、相互の取り付け精度による傾き、スキマ等々で変わるが安全性
を考慮し、試作実験から、メーカ提示の吸着力の概ね５倍の吸着力の磁石を
選定する必要ある。
【００３５】
一方、図７のコーナ付架台枠片によると、図６の力棒付架台枠片と同様に、
本枠片本体の断面はＬ字型としており、両端はコーナリブ２ｂとコーナリブ
付枠片中間リブ２cが2か所と強力磁石２ｆの２か所で構成されている。こ
の構造は組立完了後、裏側に取り付けられた同図4ｂ力棒、各々のリブ類、
及び作品やベルト等々が表面から見えない構造にしている。また、ベルトで
締め付けた場合、発生する反力に対し、必要な強度を確保するため断面係数
が大きくなるような形状のＬ型にしている。
【００３６】
一方、長手方向の投影形状は、図７の２ｂコーナリブが両端についているた
め、正面、上下平面共に長方形となっている。角度の付いた先端は図６の力
棒付架台枠片の４５度に角度を付けた先端部と図７のコーナリブ付架台枠
片２ｂのコーナリブ上で直角に相対し、組み立てる。
【００３７】
なお、中間リブ取付位置・数量、枠片材質、強力磁石の選定・取付方法・数
量等々は図６の力棒付架台枠片と同様である。
【００３８】
つぎに装飾枠片の全体投影形状は、図１０装飾枠片図の正面図によると台
形、上平面では長方形となっており、同図Ｇ-Ｇ矢視図で側面投影形状は本
図１ｃ装飾のデザインにより、まちまちの形状になるが、概ね、変形Ｔ型を
している。装飾枠片は本図１０装飾枠片の１ａ装飾枠片吸着用鉄片２か所、
1ｃ装飾と1ｄ装飾化粧版とで構成している。本枠片は架台枠片と同様の理
由で両先端に４５度の角度がついている。図11額縁装飾枠片鉄片取付拡大
図によると１ａ装飾枠片吸着用鉄片は、母材面から1ｍｍ程度引っ込めて取
付る。鉄片を受ける窪みの形状は楕円もしくは長方形の凹穴である。更に鉄
片を取り外す時に強力磁石の磁力から逃れる必要があり、そのために強力磁
石の直径とほぼ等しい寸法、１ｅの取り外し空間を作る。鉄片は、強力磁石
と同様に木ねじと接着剤の併用で、取り付ける。また、枠片装飾部の材料は
装飾の方法、例えば彫刻をするか否か、木目を活かすか否か、金属光沢にす
るか否か、大量生産をするか否か、装飾と装飾枠片を接合するか否か、額縁
コーナ飾りを付けるか否か、等々を考慮して決定するので１ｄ装飾枠片化粧
版を除き、多種多様に製作することとなる。
【符号の説明】
【００３９】
1   装飾枠片
1a  装飾枠片吸着用鉄片
1b  装飾枠片吸着用鉄片固定木ねじ
1ｃ  装飾
1ｄ  装飾枠片化粧版
1ｅ  取り外し空間
2   コーナリブ付架台枠片
2a  コーナリブベルト通し角溝
2b  コーナリブ
2c  コーナリブ付枠片中間リブ
2d  力棒挿入穴
2e  作品固定ベルト通し穴
2f  強力磁石
2g  作品固定コーナ切欠き
2h  強力磁石固定木ねじ
2i  コーナリブ付枠片中間リブベルト通し角溝
3   装飾枠片
4   力棒付架台枠片
4a  力棒付枠片中間リブベルト通し角溝
4b  力棒
4c  力棒付枠片中間リブ
4d  強力磁石
5   装飾枠片
6   コーナリブ付架台枠片
7   装飾枠片
8   力棒付架台枠片
9   架台枠片組立締付ベルト
10  架台枠片組立締付ベルトバックル
11  作品固定締付ベルト
12  作品固定締付ベルトバックル
13  作品
【図１】
2016154645.tif 000003
【図２】
2016154645.tif 000004
【図３】
2016154645.tif 000005
【図４】
2016154645.tif 000006
【図５】
2016154645.tif 000007
【図６】
2016154645.tif 000008
【図７】
2016154645.tif 000009
【図８】
2016154645.tif 000010
【図９】
2016154645.tif 000011
【図１０】
2016154645.tif 000012
【図１１】
2016154645.tif 000013
【図１２】
2016154645.tif 000014
【図１３】
2016154645.tif 000015